(57)【要約】      （修正有）【課題】構造が簡単で製造コストが低く、手動操作で同時に両方の乳房から搾乳できる母乳搾乳器を提供する。【解決手段】キャップ２８を外して補助搾乳具４０の第２連通路４３と通孔２７をチューブ４４で連通する。第２連通路４３が負圧室に連通するので、第１搾乳カップ２２を一方の乳房に被せ、第２搾乳カップ４１を他方の乳房に被せ、操作レバー２９を回動操作すると、ダイアフラム２５が変形し、負圧室の容積が増大する。それに伴い負圧室に負圧が発生し、負圧が第１連通路２４を通して第１搾乳カップ２２を被せた乳房に作用するとともに、第２連通路４３を通して第２搾乳カップ４１を被せた他方の乳房に作用し、両方の乳房から母乳が搾乳される。チューブ４４を通孔２７から外し、通孔にキャップ２８を被せて塞げば、第１搾乳カップ２２だけで片方の乳房から搾乳することもできる。【選択図】図１
0003225023.tif 000002
【実用新案登録請求の範囲】
【請求項１】
一方の乳房に被せる第１搾乳カップと、ダイアフラムの変形に伴う容積の増大によって負圧を発生する負圧室と、ダイアフラムを変形作動させる操作レバーと、母乳容器に接続される接続口と、負圧室と第１搾乳カップを連通するとともに搾乳カップと接続口を連通する第１連通路と、第１連通路と接続口との連通部に取り付けられ、負圧が作用したとき連通部を閉じ、その負圧が消滅したとき連通部を開く第１逆止弁を設けた本体を備え、
操作レバーの操作に伴い負圧室に発生した負圧を、第１連通路を通して第１搾乳カップを被せた乳房に作用させ、乳房から母乳を搾乳して逆止弁で閉じている連通部に溜め、さらなる操作レバーの操作に伴って負圧が消滅すると、開いた連通部から母乳を母乳容器に注ぐ母乳搾乳器であって、
前記負圧室又は第１連通路の内外を連通し、栓体で開閉可能な通孔を形成し、
他方の乳房に被せる第２搾乳カップと、他の母乳容器に接続される第２接続口と、第２搾乳カップと第２接続口を連通する第２連通路と、第２連通路と前記通孔を連通するチューブ及び第２連通路と第２接続口との連接部に取り付けられ、負圧が作用したとき連通部を閉じ、その負圧が消滅したとき連通部を開く第２逆止弁を設けた補助搾乳具を備えたことを特徴とする母乳搾乳器。
【考案の詳細な説明】
【技術分野】
【０００１】
本考案は、母乳搾乳器に関するものである。
【背景技術】
【０００２】
母乳搾乳器の一形式として、特開２０１３−７０７４２号公報には、乳房に被せる搾乳カップと、ダイアフラムの変形に伴う容積の増大によって負圧を発生する負圧室と、ダイアフラムを変形作動させる操作レバーと、母乳容器に接続される接続口と、負圧室と搾乳カップを連通するとともに搾乳カップと接続口を連通する連通路と、連通路と接続口との連通部に取り付けられ、負圧室に負圧が発生したとき連通部を閉じ、その負圧が消滅したとき連通部を開く逆止弁とを備えた母乳搾乳器が開示されている。
【０００３】
この母乳搾乳器の搾乳カップを乳房に被せて押し付け、操作レバーを回動操作すると、ダイアフラムが変形し、負圧室の容積が増大する。それに伴い負圧室に負圧が発生し、連通路を通して負圧が乳房に作用するので、乳房から母乳が搾乳される。
【０００４】
搾乳カップで搾乳された母乳は連通路を通って接続口へと流れるが、負圧によって逆止弁が閉じているので、接続口と連通路の連通部に溜まる。操作レバーの回動操作に伴い、負圧室の容積が減少して負圧が消滅すると逆止弁が開くので、連通部に溜まっていた母乳が接続口から母乳容器に流入する。
【先行技術文献】
【特許文献】
【０００５】
【特許文献１】特開２０１３−７０７４２号公報
【特許文献２】特表平１１−５１００８１号公報
【考案の概要】
【考案が解決しようとする課題】
【０００６】
特開２０１３−７０７４２号公報に開示されている母乳搾乳器は搾乳カップを１個備えているだけなので、同時に両方の乳房から搾乳できない。
一方、特表平１１−５１００８１号公報に開示されている母乳搾乳器は、搾乳カップを２個備えているので、同時に両方の乳房から搾乳できる。
しかし、この母乳搾乳器はモータ駆動機構でダイアフラムを変形させて負圧を発生させているので、構造が複雑で製造コストが高くなる。
本考案はかかる点に鑑み、構造が簡単で製造コストが低く、手動操作で同時に両方の乳房から搾乳でき、かつ使い心地の良い母乳搾乳器を提供することを目的とする。
【課題を解決するための手段】
【０００７】
本考案は、一方の乳房に被せる第１搾乳カップと、ダイアフラムの変形に伴う容積の増大によって負圧を発生する負圧室と、ダイアフラムを変形作動させる操作レバーと、母乳容器に接続される接続口と、負圧室と第１搾乳カップを連通するとともに搾乳カップと接続口を連通する第１連通路と、第１連通路と接続口との連通部に取り付けられ、負圧が作用したとき連通部を閉じ、その負圧が消滅したとき連通部を開く第１逆止弁を設けた本体を備え、
操作レバーの操作に伴い負圧室に発生した負圧を、第１連通路を通して第１搾乳カップを被せた乳房に作用させ、乳房から母乳を搾乳して逆止弁で閉じている連通部に溜め、さらなる操作レバーの操作に伴って負圧が消滅すると、開いた連通部から母乳を母乳容器に注ぐ母乳搾乳器であって、
前記負圧室又は第１連通路の内外を連通し、栓体で開閉可能な通孔を形成し、
他方の乳房に被せる第２搾乳カップと、他の母乳容器に接続される第２接続口と、第２搾乳カップと第２接続口を連通する第２連通路と、第２連通路と前記通孔を連通するチューブ及び第２連通路と第２接続口との連接部に取り付けられ、負圧が作用したとき連通部を閉じ、その負圧が消滅したとき連通部を開く第２逆止弁を設けた補助搾乳具を備えたことを特徴とする。
【考案の効果】
【０００８】
本考案に係る母乳搾乳器によれば、補助搾乳具の第２連通路と本体の通孔をチューブで連通すると、第２連通路が本体の負圧室又は第１連通路に連通する。そこで第１搾乳カップを一方の乳房に被せ、第２搾乳カップを他方の乳房に被せ、操作レバーを回動操作すると、ダイアフラムが変形し、負圧室の容積が増大する。それに伴い負圧室に負圧が発生し、この負圧が第１連通路を通して第１搾乳カップを被せた乳房に作用するとともに、第２連通路を通して第２搾乳カップを被せた他方の乳房に作用するので、両方の乳房から母乳が搾乳される。
【０００９】
第１搾乳カップと第２搾乳カップで搾乳された母乳はそれぞれ第１連通路と第２連通路を通って第１接続口と第２接続口へと流れるが、負圧によって第１逆止弁と第２逆止弁により第１接続口と第１連通路の連通部及び第２接続口と第２連通路の連通部が閉じているので、両連通部に母乳が溜まる。さらなる操作レバーの回動操作に伴い、負圧室の容積が減少して負圧が消滅すると両逆止弁により両連通部が開くので、連通部に溜まっていた母乳が接続口からそれぞれ母乳容器に流入する。
【００１０】
本考案に係る母乳搾乳器によれば、第１搾乳カップと第２搾乳カップをそれぞれ乳房に被せることにより同時に両方の乳房から搾乳できる。
操作レバーの手動操作によりダイアフラムを変形させて負圧室に負圧を発生させるので、モータ駆動機構を必要としない。そのため、構造が簡単で製造コストも低く、また電源の無い所でも使用できる。また、モータ駆動機構でダイアフラムを変形させて負圧を発生させる場合、負圧が間断なく乳房に作用するが、本考案に係る母乳搾乳器は操作レバーの手動操作で負圧を発生させるので、負圧が乳房に間欠的に作用し、使い心地が良い。
通孔を栓体で塞げば、第１搾乳カップだけで片方の乳房から搾乳することもでき、使い勝手が良い。
【図面の簡単な説明】
【００１１】
【図１】本考案の第１実施例に係る母乳搾乳器を示す断面図である。
【図２】同母乳搾乳器の主要部の作動を示す断面図である。
【図３】本考案の第２実施例に係る母乳搾乳器の主要部を示す断面図である。
【実施例１】
【００１２】
以下に本考案を図面に基づき説明する。図１には本考案の第１実施例に係る母乳搾乳器１０が示されている。また、図２には同母乳搾乳器１０の主要部が示されている。
母乳搾乳器１０は、本体２０と補助搾乳具４０から成る。本体２０は硬質プラスチックから成り、底部を有する筒部２１と第１搾乳カップ２２及び母乳容器５０に連結される第１接続口２３及び筒部２１と第１搾乳カップ２２及び第１搾乳カップ２２と第１接続口２３を連通する第１連通路２４が形成されている。筒部２１の一端開口には軟質プラスチック製のダイアフラム２５が被せられ、ダイアフラム２５と筒部２１によって負圧室２６（図２参照）が区画形成されている。
【００１３】
筒部２１の底部には筒部２１の内外を連通する通孔２７が形成されている。また、筒部２１の底部外面に通孔２７を閉塞する栓体として、軟質プラスチック製のキャップ２８が取り付けられている。このキャップ２８を外すと通孔２７が開放される。
【００１４】
一方、本体２０には操作レバー２９が軸３０で回動可能に組み付けられている。この操作レバー２９とダイアフラム２５がダイアフラムプレート３１を介して作動連結されている。第１連通路２４と第１接続口２３との連通部３２にはゴム製の第１逆止弁３３が取り付けられている。この第１逆止弁３３は負圧が作用すると連通部３２を閉じ、その負圧が消滅すると連通部３２を開く。
【００１５】
補助搾乳具４０は硬質プラスチックから成り、乳房に被せる第２搾乳カップ４１と、母乳容器５１に接続される第２接続口４２と、第２搾乳カップ４１と第２接続口４２を連通する第２連通路４３が形成されている。そして、第２連通路４３と本体１０の通孔２７を連通するチューブ４４を備えている。また、第２連通路４３と第２接続口４２との連通部４４には負圧が作用したとき連通部４４を閉じ、その負圧が消滅したとき連通部４４を開くゴム製の第２逆止弁４５が取り付けられている。
【００１６】
本実施例に係る母乳搾乳器１０の構造は以上の通りであって、以下にその使用方法を説明する。
キャップ２８を外して補助搾乳具４０の第２連通路４３と通孔２７をチューブ４４で連通する。第２連通路４３が負圧室２６に連通するので、第１搾乳カップ２２を一方の乳房に被せ、第２搾乳カップ４１を他方の乳房に被せ、操作レバー２９を回動操作すると、ダイアフラム２５が変形し、負圧室２６の容積が増大する。それに伴い負圧室２６に負圧が発生し、この負圧が第１連通路２４を通して第１搾乳カップ２２を被せた乳房に作用するとともに、第２連通路４３を通して第２搾乳カップ４１を被せた他方の乳房に作用するので、両方の乳房から母乳が搾乳される。
【００１７】
第１搾乳カップ２２と第２搾乳カップ４１で搾乳された母乳はそれぞれ第１連通路２４と第２連通路４３を通って第１接続口２３と第２接続口４２へと流れるが、負圧によって第１逆止弁３３と第２逆止弁４５により、それぞれ第１接続口２３と第１連通路２４の連通部３２及び第２接続口４２と第２連通路４３の連通部４４が閉じているので、両連通部３２，４４に母乳が溜まる。さらなる操作レバー２９の回動操作に伴い、負圧室２６の容積が減少して負圧が消滅すると両逆止弁３３，４５により両連通部３２，４４が開くので、連通部３２，４４に溜まっていた母乳が第１接続口２３と第２接続口４２から母乳容器５０，５１に流入する。
【００１８】
本実施例に係る母乳搾乳器１０によれば、第１搾乳カップ２２と第２搾乳カップ４１をそれぞれ乳房に被せることにより同時に両方の乳房から搾乳できる。
操作レバー２９の手動操作によりダイアフラム２５を変形させて負圧室２６に負圧を発生させるので、モータ駆動機構を必要としない。そのため、構造が簡単で製造コストも低く、また電源の無い所でも使用できる。操作レバー２９の手動操作で負圧を発生させるので、負圧が乳房に間欠的に作用し、使い心地が良い。
チューブ４４を通孔２７から外し、通孔２７にキャップ２８を被せて塞げば、第１搾乳カップ２２だけで片方の乳房から搾乳することもでき、使い勝手が良い。
【実施例２】
【００１９】
第１実施例に係る母乳搾乳器１０では、本体２０の筒部２１の底部に筒部２１の内外を連通する通孔２７を形成したが、第２実施例に係る母乳搾乳器１０Ａでは、本体２０Ａのダイアフラム２５と操作レバー２９を連結するダイアフラムプレート３４に通孔３５を形成し、操作レバー２９の背面からチューブ４４を通孔３５に接続している。
なお、本実施例に係る母乳搾乳器１０Ａの他の構成は第１実施例に係る母乳搾乳器１０と同じであるので、同一の構成要素に同一の符号を付して説明を省略する。
【００２０】
第１実施例に係る母乳搾乳器１０では、通孔２７を筒部２１の底部に設けたので、チューブ４４で本体１０と補助搾乳具４０を接続するとき、チューブ４４が第１搾乳カップ２２と干渉しないようにチューブ４４を取り回す必要があるが、第２実施例に係る母乳搾乳器１０Ａでは、操作レバー２９の背面からチューブ４４を通孔３５に接続するので、チューブ４４を取り回す必要がなく、使い勝手がよい。
【００２１】
本実施例に係る母乳搾乳器１０、１０Ａでは、通孔２７、３５を筒部２１に設けたが、第１連通路２４に設けても同様の作用効果を奏することができる。
また、通孔２７、３５を塞ぐ栓体としては、軟質プラスチック製のキャップ２８に代えて開閉バルブを設けることもできる。
【符号の説明】
【００２２】
１０…母乳搾乳器
２０…本体
２１…筒部
２２…第１搾乳カップ
２３…第１接続口
２４…第１連通路
２５…ダイアフラム
２６…負圧室
２７、３５…通孔
２８…キャップ
２９…操作レバー
３２…連通部
３３…第１逆止弁
４０…補助搾乳具
４１…第２搾乳カップ
４２…第２接続口
４３…第２連通路
４４…連通部
４５…第２逆止弁
５０，５１…母乳容器
【図１】
0003225023.tif 000003
【図２】
0003225023.tif 000004
【図３】
0003225023.tif 000005